(57)【要約】【課題】機体の左右重量をバランスさせ易くしながら、溝切り体を機体横方中央部に配備することができる水田作業機を提供する。【解決手段】機体の後部に、機体横方向に並ぶ複数の作業部、作業部の下側に配置された接地フロート１２、機体前後向きの伝動ケース２６を設ける。駆動ケース１９の駆動力を機体右側の伝動ケース２６から機体右側の作業部に伝達し、駆動ケース１９の駆動力を機体左側の伝動ケース２６から機体左側の作業部に伝達する。機体右側及び機体左側の伝動ケース２６にわたって連結した機体横向きの支持杆５５を設け、圃場面に排水溝形成する溝切り体１４を、接地フロート１２の機体後側で機体横方向での中央部に配置して支持杆５５に支持させる。【選択図】図７
2015128434.tif 000002
【特許請求の範囲】
【請求項１】
機体の後部に、機体横方向に並ぶ複数の作業部と、前記作業部の下側に配置された接地フロートと、機体前後向きの伝動ケースとを設け、
駆動ケースの駆動力を機体右側の前記伝動ケースから機体右側の前記作業部に伝達するように構成し、前記駆動ケースの駆動力を機体左側の前記伝動ケースから機体左側の前記作業部に伝達するように構成して、
機体右側及び機体左側の前記伝動ケースにわたって連結した機体横向きの支持杆を設け、
圃場面に排水溝形成する溝切り体を、前記接地フロートの機体後側で機体横方向での中央部に配置して前記支持杆に支持させている水田作業機。
【請求項２】
前記作業部を後車輪の後方に配備し、      
前記後車輪の後方で隣り合う前記作業部が、圃場面の後車輪通過跡の両横側箇所を作業対象箇所とするように、且つ、隣り合う前記作業部のうちの機体横外側の作業部が機体横内側の作業部より後車輪通過跡に近い箇所を作業対象箇所とするように、前記後車輪を配備している請求項１に記載の水田作業機。
【請求項３】
前記溝切り体の後端が前記作業部の後端と略同じ位置又は前方に位置するように、前記溝切り体を配備している請求項１又は２に記載の水田作業機。
【請求項４】
前記溝切り体の対地作業高さを変更する作業高さ調節部を設けている請求項１〜３のうちのいずれか一つに記載の水田作業機。
【請求項５】
前記溝切り体を上下揺動自在に支持し、前記溝切り体の接地反力による上昇に抵抗を付与するスプリングを設けている請求項１〜４のうちのいずれか一つに記載の水田作業機。
【発明の詳細な説明】
【技術分野】
【０００１】
本発明は、機体横方向に並ぶ複数の作業部、及び機体横向きの駆動ケースの両横端部から各別に延出する左右一対の伝動ケースを備えて、前記駆動ケースからの駆動力を前記左右一対の伝動ケースの左側の伝動ケースの延出端側から前記複数の作業部のうちの機体左側の作業部に伝達するように構成し、前記駆動ケースからの駆動力を前記左右一対の伝動ケースの右側の伝動ケースの延出端側から前記複数の作業部のうちの機体右側の作業部に伝達するように構成した水田作業機に関する。
【背景技術】
【０００２】
従来、例えば特許文献１に示されるように、機体横方向に並ぶ複数の植付けアームを有した苗植付装置、及び苗植付装置の機体横方向での中央部に配備した溝切体を備えた田植機があった。
【先行技術文献】
【特許文献】
【０００３】
【特許文献１】特開２００４−３３０７６号公報
【発明の概要】
【発明が解決しようとする課題】
【０００４】
溝切り体を機体左右両側に配置して備えた場合、左右の溝切り体が異なる強さの接地反力を受けることがあると、機体に傾斜やねじれが発生しやすくなる。溝切り体が受ける接地反力に起因する機体の傾斜やねじれが発生しにくいように、溝切り体を機体の左右方向中央部に配備するに当り、溝切り体を機体に支持させる支持構造と機体の構造体や装置部分との干渉を避けるなどに起因し、支持構造が特殊な形状のものになった場合、機体の左右重量が支持構造のためにバランスしにくくなる。
【０００５】
本発明の目的は、機体の左右重量をバランスさせ易くしながら、溝切り体を機体横方中央部に配備することができる水田作業機を提供することにある。
【課題を解決するための手段】
【０００６】
本第１発明は、機体横方向に並ぶ複数の作業部、及び機体横向きの駆動ケースの両横端部から各別に延出する左右一対の伝動ケースを備えて、前記駆動ケースからの駆動力を前記左右一対の伝動ケースの左側の伝動ケースの延出端側から前記複数の作業部のうちの機体左側の作業部に伝達するように構成し、前記駆動ケースからの駆動力を前記左右一対の伝動ケースの右側の伝動ケースの延出端側から前記複数の作業部のうちの機体右側の作業部に伝達するように構成した水田作業機において、
前記左右一対の伝動ケースの延出端側にわたって連結した機体横向きの支持杆を設け
圃場面に排水溝形成する溝切り体を、機体横方向での中央部に配置して前記支持杆に支持させてある。
【０００７】
本第１発明の構成によると、支持杆を左右の伝動ケースにわたって連結するから、支持杆の形状を左右対称の形状にして、支持杆及び支持杆と溝切り体を連結する連結構造のために機体の左右の重量バランスが崩れることを回避や抑制しながら、溝切り体を機体の横方向中央部に配備することができる。
また、支持杆が左右一対の伝動ケースの延出端側を連結するものだから、伝動ケースの延出端側での振れを抑制するなどの補強機能を支持杆に備えさせることができる。
【０００８】
従って、本第１発明によると、溝切り体を機体の横方向中央部に配備して、溝切り体が受ける接地反力による機体の傾斜やねじれを発生しにくくできるのみならず、溝切り体を機体に支持させる支持杆などの付加にかかわらず機体の左右重量をバランスさせ易く、全体として、作業部による作業と同時に排水溝を形成するものでありながら、左右の作業部の対地高さを揃い易くできる。
また、駆動ケース及び伝動ケースを備えて成る機体フレームに、支持杆を補強手段に活用した簡素な構造で優れた強度を備えさせることができる。
【０００９】
本第２発明は、前記複数の作業部を左右一対の後車輪の後方に配備し、前記複数の作業部のうちの前記各後車輪の後方で隣り合う一対の作業部が、圃場面の後車輪通過跡の両横側箇所を作業対象箇所とするように、かつ前記隣り合う一対の作業部のうちの機体横外側の作業部が、機体横内側の作業部より後車輪通過跡に近い箇所を作業対象箇所とするように、前記左右一対の後車輪を配備してある。
【００１０】
後車輪の通過跡に溝切り体によって排水溝を形成する場合、後車輪の通過によって固まるとか盛り上がるとかした土が、溝切り体による横外側への押し出しによって作業対称箇所に移動することを回避し易くするには、後車輪の通過跡の両横側における作業対象箇所のうちの機体横内側の作業対象箇所及び機体横外側の作業対象箇所が後車輪の通過跡から同じ距離を離れて位置するように、後車輪を配備する必要がある。
本第２発明の構成によると、溝切り体を機体横方向中央部に配備して、溝切り体が後車輪の通過跡から外れた箇所で排水溝を形成するものにおいて、機体横外側の作業対象箇所が機体横内側の作業対象箇所よりも後車輪の通過跡に近く位置するように、後車輪を配備するものだから、機体横外側及び機体横内側の作業対象箇所が後車輪の通過跡から同じ距離を離れて位置するように後車輪を配備するものに比べ、後車輪の通過跡の土が作業箇所に押し移動されることを同様に回避しやすくしながら、左右一対の後車輪の間隔を大にできる。
【００１１】
従って、本第２発明によると、後車輪通過跡の土が作業対象箇所に移動し難くい状態で排水溝を形成できるものでありながら、左右一対の後車輪の大間隔によって安定的に走行できる。
【００１２】
本第３発明は、前記溝切り体の後端が前記各作業部の後端と略同じ位置又は前方に位置するように、前記溝切り体を配備してある。
【００１３】
本第３発明の構成によると、たとえば機体を旋回走行させる際、溝切り体より高い配置高さに位置する作業部を容易に見通して、作業部が畔などに当らないように注意すれば、溝切り体の後端が各作業部の後端と略同じ位置又は前方に位置するものだから、溝切り体は、低い箇所に位置するに加えて機体横方向中央部に位置するものであって、見通しにくいものであっても、溝切り体の畔などに対する当りを防止できる。
【００１４】
従って、本第３発明によると、溝切り体を機体横方向中央部に配備するものでありながら、溝切り体の畔などとの衝突による変形や破損を容易に防止できる。
【００１５】
本第４発明は、前記溝切り体の対地作業高さを変更する作業高さ調節部を設けてある。
【００１６】
本第４発明の構成によると、作業高さ調節部によって溝切り体の対地作業高さを変更することにより、溝切り体が受ける接地抵抗や溝切り体によって形成される排水溝の深さを調節できる。
【００１７】
従って、本第４発明によると、たとえば泥土の硬さや水量が異なる圃場であっても、溝切り体が受ける接地抵抗や溝切り体が形成する排水溝の深さを調節して、スムーズに走行しながら作業できる。
【００１８】
本第５発明は、前記溝切り体を上下揺動自在に支持し、前記溝切り体の接地反力による上昇に抵抗を付与するスプリングを設けてある。
【００１９】
本第５発明の構成によると、溝切り体がスプリングによって接地反力に抗して圃場に押し付けられ、溝切り体に土塊などによって強い接地反力が掛かった際、溝切り体が接地反力によって上昇するようにしながら、溝切り体による排水溝の形成を行なわせることができる。
【００２０】
従って、本第５発明によると、溝切り体が土塊などに当っても上昇して変形や破損しにくく、土塊がある場合や硬質の圃場でも作業し易い。
【図面の簡単な説明】
【００２１】
【図１】水田作業機の全体を示す側面図である。
【図２】水田作業機の全体を示す平面図である。
【図３】水田作業装置を示す側面図である。
【図４】水田作業装置を示す後面図である。
【図５】水田作業装置の施肥用の作業部を示す後面図である。
【図６】水田作業装置を示す横断平面図である。
【図７】水田作業装置の下部を示す平面図である。
【図８】（ａ）は低い対地作業高さに設定した状態での溝切り体を示す側面図、（ｂ）は、泥土に押し付け状態の溝切り体を示す側面図、（ｃ）は高い対地作業高さに設定した状態での溝切り体を示す側面図である。
【図９】溝切り体の支持構造を示す斜視図である。
【図１０】薬剤散布機を連結した状態での水田作業装置を示す側面図である。
【発明を実施するための形態】
【００２２】
以下、本発明の実施の形態を図面に基づいて説明する。
図１は、本発明の実施例に係る水田作業機の全体を示す側面図である。図２は、本発明の実施例に係る水田作業機の全体を示す平面図である。これらの図に示すように、本発明の実施例に係る水田作業機は、左右一対の駆動及び操向自在な前車輪１，１、左右一対の駆動自在な後車輪２，２、車体前部に設けた原動部３、車体後部に設けられた運転座席４を有した運転部を備えて、原動部３に配備したエンジン１５からの駆動力によって前車輪１及び後車輪２を駆動して自走するように構成し、かつ運転部に搭乗して運転するように構成した自走車を備え、自走車の車体フレーム６の後部にリンク機構５を介して連結された水田作業装置Ａを備えて構成してある。
【００２３】
水田作業装置Ａは、リンク機構５が油圧シリンダ２０によって車体フレーム６に対して上下に揺動操作されることにより、接地フロート１２が圃場泥土に接地した下降作業状態と、接地フロート１２が圃場泥土から高く上昇した上昇非作業状態とに昇降操作されるように構成してある。水田作業機は、水田作業装置Ａを下降作業状態に下降させて自走車を走行させることにより、水田作業装置Ａによって４条の播種作業及び４条の施肥作業を行なう。
【００２４】
自走車について説明する。
自走車が備える左右一対の後車輪２，２は、図７に示す如く配備してある。
すなわち、水田作業装置Ａに機体横方向に並べて設けてある４つの播種用の作業部９のうちの左側の後車輪２（以下、左後車輪２と呼称する。）の後方に隣り合って位置する一対の作業部９，９が左後車輪２の通過跡２ａ（左後車輪通過跡２ａと呼称する。）の両横側箇所を作業対象箇所Ｐａ，Ｐｂとして播種作業するように、かつ４つの播種用の作業部９のうちの右側の後車輪２（以下、右後車輪２と呼称する。）の後方に位置する一対の作業部９，９が右後車輪２の通過跡２ａ（以下、右後車輪通過跡２ａと呼称する。）の両横側箇所を作業対象箇所Ｐａ，Ｐｂとして播種作業するように、さらに各後車輪２の後方に位置する一対の作業部９，９の機体横外側の作業部９の作業対象箇所Ｐａが機体内側の作業部９の作業対象箇所Ｐｂより車輪通過跡２ａの近くに位置するように、左右一対の後車輪２，２を配備してある。
【００２５】
水田作業装置Ａについて説明する。
図３は、水田作業装置Ａを示す側面図である。図４は、水田作業装置Ａを示す後面図である。図５は、水田作業装置Ａの施肥用の作業部１０を示す後面図である。図６は、水田作業装置Ａを示す横断平面図である。これらの図及び図２に示すように、水田作業装置Ａは、リンク機構５を構成する機体上下向きの後部リンク５ｃの下部に前端側が連結された機体フレームＦと、機体フレームＦの前部に機体横方向に一列に並ぶよう配備した４つの施肥用の作業部１０と、機体フレームＦの後部に機体横方向に一列に並ぶよう配備した４つの播種用の作業部９と、機体フレームＦの下方に配備した一つの接地フロート１２とを備えて構成してある。
【００２６】
機体フレームＦは、後部リンク５ｃに対して機体前後向きのローリング支点軸５ｄを介して連結されている。従って、水田作業装置Ａは、ローリング支点軸５ｄのローリング軸芯Ｘまわりに自走車に対してローリングする。
【００２７】
図７は、水田作業装置Ａの下部を示す平面図である。この図及び図３，６に示すように、機体フレームＦは、ローリング支点軸５ｄに前端側上部が連結された機体フレーム横方向に長い駆動ケース１９と、この駆動ケース１９の両横端部から各別に機体フレーム後方向きに延出する左右一対の伝動ケース２６とを備えて構成してある。
【００２８】
駆動ケース１９は、駆動ケース１９の横方向での中央部を構成するとともに前端側上部がローリング支点軸５ｄに連結されているフィードケース１９ａと、フィードケース１９ａの下端側の両横側部から横外向きに延出され、駆動ケース１９の横側部を構成するとともに延出端部が伝動ケース２６の基部に連結されている左右一対の出力軸ケース２４，２４とを備えて構成してある。
【００２９】
図３，４，６に示すように、４つの播種用の作業部９は、機体横方向に長い播種フレーム４７に支持される繰出しケース４８を有した種子繰出し機構２８と、繰出しケース４８の上部に取付けられた種子タンク２７と、繰出しケース４８の下部から機体下方向きに延出した播種筒２９とを備えて構成してある。
【００３０】
図３，４，５，６に示すように、４つの種子繰出し機構２８を支持する播種フレーム４７は、左右一対の伝動ケース２６，２６の延出端側上部に取り付けられたステー４６に支持されている。４つの播種用の作業部９のうちの機体左側の２つの作業部９の種子タンク２７及び機体右側の２つの作業部９の種子タンク２７は、タンク内が連通した一つの種子タンクに一体形成されている。各播種用の作業部９の播種筒２９は、水田作業装置Ａの下降作業状態において、播種筒２９の延出端側の播種開口が圃場の泥土面の上方近くに位置するように配備してある。
【００３１】
４つの播種用の作業部９は、自走車の後部から後方向きに延出する回転伝動軸１８（図１参照）によって駆動ケース１９に伝達されるエンジン１５からの駆動力によって駆動されるように構成してある。
【００３２】
すなわち、図４，６，７に示すように、エンジン１５から回転伝動軸１８に伝達された駆動力を、フィードケース１９ａの下端側前部から前方向きに突出する入力軸によって駆動ケース１９に入力し、駆動ケース１９に入力した駆動力を出力軸ケース２４に設けてある出力軸２３から左右一対の伝動ケース２６，２６の基端側（前端側）に入力する。左側の伝動ケース２６に入力した駆動力を、この伝動ケース２６の延出端部（後端部）に機体横向きに貫設してある出力軸４１から機体左側の２つの種子繰出し機構２８，２８の繰出しロール３０を駆動する駆動軸４３にギヤ伝動機構４４を介して伝達する。右側の伝動ケース２６に入力した駆動力を、この伝動ケース２６の延出端部（後端部）に機体横向きに貫設してある出力軸４１から機体右側の２つの種子繰出し機構２８，２８の駆動軸４３にギヤ伝動機構４４を介して伝達する。
【００３３】
伝動ケース２６の出力軸４１の両端部は、播種フレーム４７から下方向きに延出するステー４９（図８参照）に設けた前後一対の環状の軸支部４９ａ，４９ｂのうちの前側の軸支部４９ａによって支持されるよう構成してある。各種子繰出し機構２８の繰出しケース４８から突出している駆動軸４３の突出部は、前記ステー４９の前後一対の軸支部４９ａ，４９ｂのうちの後側の軸支部４９ｂによって支持されるよう構成してある。
【００３４】
従って、水田作業装置Ａは、各種子タンク２７に貯留された種子を、種子タンク２７に連結している種子繰出し機構２８によって種子タンク２７から繰出し、各種子繰出し機構２８が繰り出した種子を、播種筒２９から圃場の泥土面に落下させて供給する。
【００３５】
図３，５，６に示すように、４つの施肥用の作業部１０は、施肥フレーム７５に支持される繰出しケース５７ａを有した肥料繰出し機構５７と、繰出しケース５７ａの上部に取付けられた肥料タンク５６と、繰出しケース５７ａの吐出筒部から機体後方下方向きに延出する施肥筒５８と、施肥筒５８の延出端部に蛇腹筒６３を介して連通された作溝施肥器５９とを備えて構成してある。
【００３６】
４つの施肥用の作業部１０の肥料繰出し機構５７を支持する施肥フレーム７５は、駆動ケース１９の両横端部に立設された支柱７３に支持されている。４つの施肥用の作業部１０のうちの機体左側の２つの作業部１０，１０の肥料タンク５６及び機体右側の２つの作業部１０，１０の肥料タンク５６は、タンク内が連通した一つの種子タンクに一体形成されている。４つの施肥用の作業部１０の作溝施肥器５９は、４つの播種用の作業部９の播種筒２９の横側方に一つずつ位置するように機体横方向に並べて接地フロート１２に支持させてある。
【００３７】
４つの施肥用の作業部１０は、駆動ケース１９に伝達されるエンジン１５からの駆動力によって駆動されるように構成してある。
【００３８】
すなわち、図３，５，６に示すように、エンジン１５から駆動ケース１９に入力された駆動力を、出力軸ケース２４の左側端部から突出する出力軸２３の端部から連動機構７１を介して一本の左側の繰出し駆動軸６７に伝達する。左側の繰出し駆動軸６７は、機体左側の２つの肥料繰出し機構５７，５７が備える繰出しロール６６に連結され、機体左側の２つの肥料繰出し機構５７，５７に共通の繰出し駆動軸になっている、駆動ケース１９に入力された駆動力を、出力軸ケース２４の右側端部から突出する出力軸２３の端部から連動機構７１を介して一本の右側の繰出し駆動軸６７に伝達する。右側の繰出し駆動軸６７は、機体右側の２つの肥料繰出し機構５７，５７が備える繰出しロール６６に連結され、機体右側の２つの肥料繰出し機構５７，５７に共通の繰出し駆動軸になっている。
【００３９】
図３，５に示すように、左右の連動機構７１は、出力軸２３の回転駆動力をクランク体６９によって連動ロッド７０の往復動力に変換し、連動ロッド７０の往復動力を揺動リンク６８の設定角範囲での往復回動力に変換し、揺動リンク６８の往復回動力の一方向の回動力だけを一方向回転クラッチ６８ａによって繰出し駆動軸６７に伝達する。
【００４０】
従って、水田作業装置Ａは、各肥料タンク５６に貯留された粒状の肥料を、肥料タンク５６に連結している肥料繰出し機構５７によって肥料タンク５６から繰出し、各肥料繰出し機構５７が繰り出した肥料を施肥筒５８を介して作溝施肥器５９に供給し、作溝施肥器５９により、播種用の作業部９による作業対象箇所Ｐａ，Ｐｂの横側近くで圃場の泥土面に溝を形成し、形成した溝に施肥筒５８からの肥料を供給する。肥料を供給した後の溝を、作溝施肥器５９の後方に位置する溝埋め体６０（図３参照）によって埋め戻す。
【００４１】
図３，４，６に示すように、水田作業装置Ａに、機体横方向での中央部に配置した溝切り体１４を備えてある。さらに詳述すると、溝切り体１４は、４つの播種用の作業部９のうちの内側の一対の作業部９，９による作業対象箇所Ｐｂ，Ｐｂの間に位置するよう配備してある。
【００４２】
図４，７，９に示すように、溝切り体１４は、左右一対の伝動ケース２６，２６の延出端側にわたって連結した支持杆５５に支持させてある。支持杆５５は、縦断面形状が円形の鋼管によって構成してある。支持杆５５と伝動ケース２６とは、伝動ケース２６に上端側が連結されたフロート支持体５１を介して連結されている。フロート支持体５１の下端側は、接地フロート１２の後端側に設けられたブラケット５２を回動自在に連結され、フロート支持体５１は、接地フロート１２の後端側を回動自在に支持するようになっている。
【００４３】
図７，８に示すように、溝切り体１４を支持杆５５に支持させる支持構造は、支持杆５５に板金部材を取り付けて設けた支持部であって、平面視で前向きに開口するコ字状の支持部８０と、溝切り体１４の前端側上部１４ａに設けた左右一対の連結アーム部１４ｂ，１４ｂと、溝切り体１４の左右一対の連結アーム部１４ｂ，１４ｂを支持部８０の左右一対の縦板部８０ａ，８０ａに回動自在に連結する連結軸８１と、連結軸８１の上方に配置して左右一対の縦板部８０ａ，８０ａに装着する脱着自在な作業高さ設定ピン８３とを備えて構成してある。
【００４４】
溝切り体１４に、前端側上部１４ａから前方向きに延出する操作アーム８４を備え、この操作アーム８４と機体フレームＦに支持される機体前後向きの支持フレーム８２に設けたスプリング掛け部とに装着したスプリング８５によって操作アーム８４を連結軸８１の軸芯まわり引き上げ操作するように構成してある。支持フレーム８２は、施肥フレーム７５の長手方向での中央部と播種フレーム４７の長手方向での中央部とにわたって連結され、施肥フレーム７５及び播種フレーム４７を介して機体フレームＦに支持されている。
【００４５】
従って、水田作業装置Ａは、播種作業及び施肥作業を行なう際、機体内側の２条の播種列の間で圃場の泥土面に溝切り体１４によって排水溝を形成していく。
【００４６】
すなわち、溝切り体１４は、連結軸８１の軸芯まわりに上下揺動自在に支持され、スプリング８５による操作アーム８４の引き上げ操作によって、連結アーム部１４ｂが作業高さ設定ピン８３に当接して受け止め支持される。従って、溝切り体１４は、作業高さ設定ピン８３によって設定される対地作業高さになる。
【００４７】
つまり、図８（ａ）に示すように、連結アーム部１４ｂを作業高さ設定ピン８３に当て付ける状態のスプリング８５の操作力に比して、溝切り体１４に掛かる接地反力が弱い場合、溝切り体１４は、作業高さ設定ピン８３によって設定される対地作業高さに維持されながら下部を泥土に入り込ませて排水溝を形成する。
【００４８】
図８（ｂ）に示すように、連結アーム部１４ｂを作業高さ設定ピン８３に当て付ける状態のスプリング８５の操作力に比して、溝切り体１４に掛かる接地反力が強い場合、溝切り体１４が接地反力によって上昇操作されて連結アーム部１４ｂが作業高さ設定ピン８３から前方に離れ、溝切り体１４は、スプリング８５と接地反力との釣り合いよって設定される対地作業高さになり、この対地作業高さで下部を泥土に入り込ませて排水溝を形成する。このとき、スプリング８５は、操作アーム８４によって引っ張り操作されて溝切り体１４に上昇抵抗を付与する状態となり、溝切り体１４は、スプリング８５によって泥土に押し付けられる。
【００４９】
支持部８０の縦板部８０ａに作業高さ設定ピン８３のための一対のピン孔８６，８７を設け、一対のピン孔８６，８７及び作業高さ設定ピン８３によって作業高さ調節部８８を構成し、溝切り体１４の対地作業高さを変更できるように構成してある。
【００５０】
図８（ａ）は、対地作業高さを低く変更した状態での溝切り体１４を示す側面図である。この図に示すように、作業高さ設定ピン８３を一対のピン孔８６，８７のうちの後側のピン孔８７に装着することにより、溝切り体１４の対地作業高さが低くなる。
すなわち、スプリング８５による操作アーム８４の引き上げ操作によって連結アーム部１４ｂが後側に位置する作業高さ設定ピン８３に当接し、作業高さ設定ピン８３が連結アーム部１４ｂを受け止め支持して溝切り体１４を低い対地作業高さに設定する。
【００５１】
図８（ｃ）は、対地作業高さを高く調節した状態での溝切り体１４を示す側面図である。この図に示すように、作業高さ設定ピン８３を一対のピン孔８６，８７のうちの前側のピン孔８６に装着することにより、溝切り体１４の対地作業高さが高くなる。
すなわち、スプリング８５による操作アーム８４の引き上げ操作によって連結アーム部１４ｂが前側に位置する作業高さ設定ピン８３に当接し、作業高さ設定ピン８３が連結アーム部１４ｂを受け止め支持して溝切り体１４を高い対地作業高さに設定する。
【００５２】
図３に実線で示す溝切り体１４は、対地作業高さを作業高さ設定ピン８３によって低く設定された状態での溝切り体１４を示し、同図に二点鎖線で示す溝切り体１４は、対地作業高さを作業高さ設定ピン８３によって高く設定された状態での溝切り体１４を示している。この図に示すように、対地作業高さを高く調節した状態での溝切り体１４の後端１４ｃが各播種用の作業部９の繰出しケース４８の後端９ａと略同じ位置に位置するように溝切り体１４を配備してある。さらに詳述すると、溝切り体１４の後端１４ｃが作業部９の後端９ｃより少し後方に位置する。
【００５３】
支持フレーム８２の後端部に支持プレート９０ａを備えた散布機連結部９０を設けてある。
すなわち、図１０に示すように、薬剤散布機９１を播種用の作業部９の後方に配置して連結し、播種及び施肥作業を行なう際、除草用などの薬剤を散布する作業を併せて行なえるように構成してある。
【００５４】
〔別実施例〕
（１）上記した実施例では、溝切り体１４の後端１４ｃが作業部９の後端９ａと略同じ位置に位置するよう構成した例を示したが、溝切り体１４の後端１４ｃが作業部９の後端９ａと同じ位置に位置するように、あるいは溝切り体１４の後端１４ｃが作業部９の後端９ａより前方に位置するよう構成して実施してもよい。
【００５５】
（２）上記した実施例では、４つの播種用の作業部９を設けた例を示したが、２つあるは５つ以上の作業部９を設けて実施してもよい。
【産業上の利用可能性】
【００５６】
本発明は、播種用の作業部９を伝動ケース２６によって伝動されるよう構成して備える水田作業機の他、施肥用の作業部１０又は苗植え用の作業部を伝動ケース２６によって伝動されるよう構成して備える水田作業機にも利用できる。
【符号の説明】
【００５７】
２          後車輪
２ａ        後車輪通過跡
９          作業部
９ａ        後端
１４        溝切り体
１４ｃ      後端
１９        駆動ケース
２６        伝動ケース
５５        支持杆
８５        スプリング
８８        作業高さ調節部
Ｐａ，Ｐｂ  作業対象箇所
【図１】
2015128434.tif 000003
【図２】
2015128434.tif 000004
【図３】
2015128434.tif 000005
【図４】
2015128434.tif 000006
【図５】
2015128434.tif 000007
【図６】
2015128434.tif 000008
【図７】
2015128434.tif 000009
【図８】
2015128434.tif 000010
【図９】
2015128434.tif 000011
【図１０】
2015128434.tif 000012
【手続補正書】
【提出日】平成27年3月31日(2015.3.31)
【手続補正１】
【補正対象書類名】明細書
【補正対象項目名】全文
【補正方法】変更
【補正の内容】
【発明の詳細な説明】
【技術分野】
【０００１】
本発明は、水田作業機に関する。
【背景技術】
【０００２】
従来、例えば特許文献１に示されるように、機体横方向に並ぶ複数の植付けアームを有した苗植付装置、及び苗植付装置の機体横方向での中央部に配備した溝切体を備えた田植機があった。
【先行技術文献】
【特許文献】
【０００３】
【特許文献１】特開２００４−３３０７６号公報
【発明の概要】
【発明が解決しようとする課題】
【０００４】
溝切り体を機体左右両側に配置して備えた場合、左右の溝切り体が異なる強さの接地反力を受けることがあると、機体に傾斜やねじれが発生しやすくなる。溝切り体が受ける接地反力に起因する機体の傾斜やねじれが発生しにくいように、溝切り体を機体の左右方向中央部に配備するに当り、溝切り体を機体に支持させる支持構造と機体の構造体や装置部分との干渉を避けるなどに起因し、支持構造が特殊な形状のものになった場合、機体の左右重量が支持構造のためにバランスしにくくなる。
【０００５】
本発明の目的は、機体の左右重量をバランスさせ易くしながら、溝切り体を機体横方中央部に配備することができる水田作業機を提供することにある。
【課題を解決するための手段】
【０００６】
本第１発明は、
機体の後部に、機体横方向に並ぶ複数の作業部と、前記作業部の下側に配置された接地フロートと、機体前後向きの伝動ケースとを設け、
駆動ケースの駆動力を機体右側の前記伝動ケースから機体右側の前記作業部に伝達するように構成し、前記駆動ケースの駆動力を機体左側の前記伝動ケースから機体左側の前記作業部に伝達するように構成して、
機体右側及び機体左側の前記伝動ケースにわたって連結した機体横向きの支持杆を設け、
圃場面に排水溝形成する溝切り体を、前記接地フロートの機体後側で機体横方向での中央部に配置して前記支持杆に支持させている。
【０００７】
本第１発明の構成によると、支持杆を機体右側及び機体左側の伝動ケースにわたって連結するから、支持杆の形状を左右対称の形状にして、支持杆及び支持杆と溝切り体を連結する連結構造のために機体の左右の重量バランスが崩れることを回避や抑制しながら、溝切り体を機体の横方向中央部に配備することができる。
また、支持杆が機体右側及び機体左側の伝動ケースを連結するものだから、伝動ケースの振れを抑制するなどの補強機能を支持杆に備えさせることができる。
【０００８】
従って、本第１発明によると、溝切り体を機体の横方向中央部に配備して、溝切り体が受ける接地反力による機体の傾斜やねじれを発生しにくくできるのみならず、溝切り体を機体に支持させる支持杆などの付加にかかわらず機体の左右重量をバランスさせ易く、全体として、作業部による作業と同時に排水溝を形成するものでありながら、左右の作業部の対地高さを揃い易くできる。
また、駆動ケース及び伝動ケースを備えて成る機体フレームに、支持杆を補強手段に活用した簡素な構造で優れた強度を備えさせることができる。
【０００９】
本第２発明は、
前記作業部を後車輪の後方に配備し、
前記後車輪の後方で隣り合う前記作業部が、圃場面の後車輪通過跡の両横側箇所を作業対象箇所とするように、且つ、隣り合う前記作業部のうちの機体横外側の作業部が機体横内側の作業部より後車輪通過跡に近い箇所を作業対象箇所とするように、前記後車輪を配備している。
【００１０】
後車輪の通過跡に溝切り体によって排水溝を形成する場合、後車輪の通過によって固まるとか盛り上がるとかした土が、溝切り体による横外側への押し出しによって作業対称箇所に移動することを回避し易くするには、後車輪の通過跡の両横側における作業対象箇所のうちの機体横内側の作業対象箇所及び機体横外側の作業対象箇所が後車輪の通過跡から同じ距離を離れて位置するように、後車輪を配備する必要がある。
本第２発明の構成によると、溝切り体を機体横方向中央部に配備して、溝切り体が後車輪の通過跡から外れた箇所で排水溝を形成するものにおいて、機体横外側の作業対象箇所が機体横内側の作業対象箇所よりも後車輪の通過跡に近く位置するように、後車輪を配備するものだから、機体横外側及び機体横内側の作業対象箇所が後車輪の通過跡から同じ距離を離れて位置するように後車輪を配備するものに比べ、後車輪の通過跡の土が作業箇所に押し移動されることを同様に回避しやすくできる。
【００１１】
従って、本第２発明によると、後車輪通過跡の土が作業対象箇所に移動し難くい状態で排水溝を形成できる。
【００１２】
本第３発明は、前記溝切り体の後端が前記各作業部の後端と略同じ位置又は前方に位置するように、前記溝切り体を配備してある。
【００１３】
本第３発明の構成によると、たとえば機体を旋回走行させる際、溝切り体より高い配置高さに位置する作業部を容易に見通して、作業部が畔などに当らないように注意すれば、溝切り体の後端が各作業部の後端と略同じ位置又は前方に位置するものだから、溝切り体は、低い箇所に位置するに加えて機体横方向中央部に位置するものであって、見通しにくいものであっても、溝切り体の畔などに対する当りを防止できる。
【００１４】
従って、本第３発明によると、溝切り体を機体横方向中央部に配備するものでありながら、溝切り体の畔などとの衝突による変形や破損を容易に防止できる。
【００１５】
本第４発明は、前記溝切り体の対地作業高さを変更する作業高さ調節部を設けてある。
【００１６】
本第４発明の構成によると、作業高さ調節部によって溝切り体の対地作業高さを変更することにより、溝切り体が受ける接地抵抗や溝切り体によって形成される排水溝の深さを調節できる。
【００１７】
従って、本第４発明によると、たとえば泥土の硬さや水量が異なる圃場であっても、溝切り体が受ける接地抵抗や溝切り体が形成する排水溝の深さを調節して、スムーズに走行しながら作業できる。
【００１８】
本第５発明は、前記溝切り体を上下揺動自在に支持し、前記溝切り体の接地反力による上昇に抵抗を付与するスプリングを設けてある。
【００１９】
本第５発明の構成によると、溝切り体がスプリングによって接地反力に抗して圃場に押し付けられ、溝切り体に土塊などによって強い接地反力が掛かった際、溝切り体が接地反力によって上昇するようにしながら、溝切り体による排水溝の形成を行なわせることができる。
【００２０】
従って、本第５発明によると、溝切り体が土塊などに当っても上昇して変形や破損しにくく、土塊がある場合や硬質の圃場でも作業し易い。
【図面の簡単な説明】
【００２１】
【図１】水田作業機の全体を示す側面図である。
【図２】水田作業機の全体を示す平面図である。
【図３】水田作業装置を示す側面図である。
【図４】水田作業装置を示す後面図である。
【図５】水田作業装置の施肥用の作業部を示す後面図である。
【図６】水田作業装置を示す横断平面図である。
【図７】水田作業装置の下部を示す平面図である。
【図８】（ａ）は低い対地作業高さに設定した状態での溝切り体を示す側面図、（ｂ）は、泥土に押し付け状態の溝切り体を示す側面図、（ｃ）は高い対地作業高さに設定した状態での溝切り体を示す側面図である。
【図９】溝切り体の支持構造を示す斜視図である。
【図１０】薬剤散布機を連結した状態での水田作業装置を示す側面図である。
【発明を実施するための形態】
【００２２】
以下、本発明の実施の形態を図面に基づいて説明する。
図１は、本発明の実施例に係る水田作業機の全体を示す側面図である。図２は、本発明の実施例に係る水田作業機の全体を示す平面図である。これらの図に示すように、本発明の実施例に係る水田作業機は、左右一対の駆動及び操向自在な前車輪１，１、左右一対の駆動自在な後車輪２，２、車体前部に設けた原動部３、車体後部に設けられた運転座席４を有した運転部を備えて、原動部３に配備したエンジン１５からの駆動力によって前車輪１及び後車輪２を駆動して自走するように構成し、かつ運転部に搭乗して運転するように構成した自走車を備え、自走車の車体フレーム６の後部にリンク機構５を介して連結された水田作業装置Ａを備えて構成してある。
【００２３】
水田作業装置Ａは、リンク機構５が油圧シリンダ２０によって車体フレーム６に対して上下に揺動操作されることにより、接地フロート１２が圃場泥土に接地した下降作業状態と、接地フロート１２が圃場泥土から高く上昇した上昇非作業状態とに昇降操作されるように構成してある。水田作業機は、水田作業装置Ａを下降作業状態に下降させて自走車を走行させることにより、水田作業装置Ａによって４条の播種作業及び４条の施肥作業を行なう。
【００２４】
自走車について説明する。
自走車が備える左右一対の後車輪２，２は、図７に示す如く配備してある。
すなわち、水田作業装置Ａに機体横方向に並べて設けてある４つの播種用の作業部９のうちの左側の後車輪２（以下、左後車輪２と呼称する。）の後方に隣り合って位置する一対の作業部９，９が左後車輪２の通過跡２ａ（左後車輪通過跡２ａと呼称する。）の両横側箇所を作業対象箇所Ｐａ，Ｐｂとして播種作業するように、かつ４つの播種用の作業部９のうちの右側の後車輪２（以下、右後車輪２と呼称する。）の後方に位置する一対の作業部９，９が右後車輪２の通過跡２ａ（以下、右後車輪通過跡２ａと呼称する。）の両横側箇所を作業対象箇所Ｐａ，Ｐｂとして播種作業するように、さらに右及び左後車輪２の後方に位置する一対の作業部９，９の機体横外側の作業部９の作業対象箇所Ｐａが機体内側の作業部９の作業対象箇所Ｐｂより右及び左後車輪通過跡２ａの近くに位置するように、右及び左後車輪２，２を配備してある。
【００２５】
水田作業装置Ａについて説明する。
図３は、水田作業装置Ａを示す側面図である。図４は、水田作業装置Ａを示す後面図である。図５は、水田作業装置Ａの施肥用の作業部１０を示す後面図である。図６は、水田作業装置Ａを示す横断平面図である。これらの図及び図２に示すように、水田作業装置Ａは、リンク機構５を構成する機体上下向きの後部リンク５ｃの下部に前端側が連結された機体フレームＦと、機体フレームＦの前部に機体横方向に一列に並ぶよう配備した４つの施肥用の作業部１０と、機体フレームＦの後部に機体横方向に一列に並ぶよう配備した４つの播種用の作業部９と、機体フレームＦの下方に配備した一つの接地フロート１２とを備えて構成してある。
【００２６】
機体フレームＦは、後部リンク５ｃに対して機体前後向きのローリング支点軸５ｄを介して連結されている。従って、水田作業装置Ａは、ローリング支点軸５ｄのローリング軸芯Ｘまわりに自走車に対してローリングする。
【００２７】
図７は、水田作業装置Ａの下部を示す平面図である。この図及び図３，６に示すように、機体フレームＦは、ローリング支点軸５ｄに前端側上部が連結された機体フレーム横方向に長い駆動ケース１９と、この駆動ケース１９の両横端部から各別に機体フレーム後方向きに延出する左右一対の伝動ケース２６とを備えて構成してある。
【００２８】
駆動ケース１９は、駆動ケース１９の横方向での中央部を構成するとともに前端側上部がローリング支点軸５ｄに連結されているフィードケース１９ａと、フィードケース１９ａの下端側の両横側部から横外向きに延出され、駆動ケース１９の横側部を構成するとともに延出端部が伝動ケース２６の基部に連結されている左右一対の出力軸ケース２４，２４とを備えて構成してある。
【００２９】
図３，４，６に示すように、４つの播種用の作業部９は、機体横方向に長い播種フレーム４７に支持される繰出しケース４８を有した種子繰出し機構２８と、繰出しケース４８の上部に取付けられた種子タンク２７と、繰出しケース４８の下部から機体下方向きに延出した播種筒２９とを備えて構成してある。
【００３０】
図３，４，５，６に示すように、４つの種子繰出し機構２８を支持する播種フレーム４７は、左右一対の伝動ケース２６，２６の延出端側上部に取り付けられたステー４６に支持されている。４つの播種用の作業部９のうちの機体左側の２つの作業部９の種子タンク２７及び機体右側の２つの作業部９の種子タンク２７は、タンク内が連通した一つの種子タンクに一体形成されている。各播種用の作業部９の播種筒２９は、水田作業装置Ａの下降作業状態において、播種筒２９の延出端側の播種開口が圃場の泥土面の上方近くに位置するように配備してある。
【００３１】
４つの播種用の作業部９は、自走車の後部から後方向きに延出する回転伝動軸１８（図１参照）によって駆動ケース１９に伝達されるエンジン１５からの駆動力によって駆動されるように構成してある。
【００３２】
すなわち、図４，６，７に示すように、エンジン１５から回転伝動軸１８に伝達された駆動力を、フィードケース１９ａの下端側前部から前方向きに突出する入力軸によって駆動ケース１９に入力し、駆動ケース１９に入力した駆動力を出力軸ケース２４に設けてある出力軸２３から左右一対の伝動ケース２６，２６の基端側（前端側）に入力する。左側の伝動ケース２６に入力した駆動力を、この伝動ケース２６の延出端部（後端部）に機体横向きに貫設してある出力軸４１から機体左側の２つの種子繰出し機構２８，２８の繰出しロール３０を駆動する駆動軸４３にギヤ伝動機構４４を介して伝達する。右側の伝動ケース２６に入力した駆動力を、この伝動ケース２６の延出端部（後端部）に機体横向きに貫設してある出力軸４１から機体右側の２つの種子繰出し機構２８，２８の駆動軸４３にギヤ伝動機構４４を介して伝達する。
【００３３】
伝動ケース２６の出力軸４１の両端部は、播種フレーム４７から下方向きに延出するステー４９（図８参照）に設けた前後一対の環状の軸支部４９ａ，４９ｂのうちの前側の軸支部４９ａによって支持されるよう構成してある。各種子繰出し機構２８の繰出しケース４８から突出している駆動軸４３の突出部は、前記ステー４９の前後一対の軸支部４９ａ，４９ｂのうちの後側の軸支部４９ｂによって支持されるよう構成してある。
【００３４】
従って、水田作業装置Ａは、各種子タンク２７に貯留された種子を、種子タンク２７に連結している種子繰出し機構２８によって種子タンク２７から繰出し、各種子繰出し機構２８が繰り出した種子を、播種筒２９から圃場の泥土面に落下させて供給する。
【００３５】
図３，５，６に示すように、４つの施肥用の作業部１０は、施肥フレーム７５に支持される繰出しケース５７ａを有した肥料繰出し機構５７と、繰出しケース５７ａの上部に取付けられた肥料タンク５６と、繰出しケース５７ａの吐出筒部から機体後方下方向きに延出する施肥筒５８と、施肥筒５８の延出端部に蛇腹筒６３を介して連通された作溝施肥器５９とを備えて構成してある。
【００３６】
４つの施肥用の作業部１０の肥料繰出し機構５７を支持する施肥フレーム７５は、駆動ケース１９の両横端部に立設された支柱７３に支持されている。４つの施肥用の作業部１０のうちの機体左側の２つの作業部１０，１０の肥料タンク５６及び機体右側の２つの作業部１０，１０の肥料タンク５６は、タンク内が連通した一つの肥料タンクに一体形成されている。４つの施肥用の作業部１０の作溝施肥器５９は、４つの播種用の作業部９の播種筒２９の横側方に一つずつ位置するように機体横方向に並べて接地フロート１２に支持させてある。
【００３７】
４つの施肥用の作業部１０は、駆動ケース１９に伝達されるエンジン１５からの駆動力によって駆動されるように構成してある。
【００３８】
すなわち、図３，５，６に示すように、エンジン１５から駆動ケース１９に入力された駆動力を、出力軸ケース２４の左側端部から突出する出力軸２３の端部から連動機構７１を介して一本の左側の繰出し駆動軸６７に伝達する。左側の繰出し駆動軸６７は、機体左側の２つの肥料繰出し機構５７，５７が備える繰出しロール６６に連結され、機体左側の２つの肥料繰出し機構５７，５７の共通の繰出し駆動軸になっている、駆動ケース１９に入力された駆動力を、出力軸ケース２４の右側端部から突出する出力軸２３の端部から連動機構７１を介して一本の右側の繰出し駆動軸６７に伝達する。右側の繰出し駆動軸６７は、機体右側の２つの肥料繰出し機構５７，５７が備える繰出しロール６６に連結され、機体右側の２つの肥料繰出し機構５７，５７の共通の繰出し駆動軸になっている。
【００３９】
図３，５に示すように、左右の連動機構７１は、出力軸２３の回転駆動力をクランク体６９によって連動ロッド７０の往復動力に変換し、連動ロッド７０の往復動力を揺動リンク６８の設定角範囲での往復回動力に変換し、揺動リンク６８の往復回動力の一方向の回動力だけを一方向回転クラッチ６８ａによって繰出し駆動軸６７に伝達する。
【００４０】
従って、水田作業装置Ａは、各肥料タンク５６に貯留された粒状の肥料を、肥料タンク５６に連結している肥料繰出し機構５７によって肥料タンク５６から繰出し、各肥料繰出し機構５７が繰り出した肥料を施肥筒５８を介して作溝施肥器５９に供給し、作溝施肥器５９により、播種用の作業部９による作業対象箇所Ｐａ，Ｐｂの横側近くで圃場の泥土面に溝を形成し、形成した溝に施肥筒５８からの肥料を供給する。肥料を供給した後の溝を、作溝施肥器５９の後方に位置する溝埋め体６０（図３参照）によって埋め戻す。
【００４１】
図３，４，６に示すように、水田作業装置Ａに、機体横方向での中央部に配置した溝切り体１４を備えてある。さらに詳述すると、溝切り体１４は、４つの播種用の作業部９のうちの内側の一対の作業部９，９による作業対象箇所Ｐｂ，Ｐｂの間に位置するよう配備してある。
【００４２】
図４，７，９に示すように、溝切り体１４は、左右一対の伝動ケース２６，２６の延出端側にわたって連結した支持杆５５に支持させてある。支持杆５５は、縦断面形状が円形の鋼管によって構成してある。支持杆５５と伝動ケース２６とは、伝動ケース２６に上端側が連結されたフロート支持体５１を介して連結されている。フロート支持体５１の下端側は、接地フロート１２の後端側に設けられたブラケット５２を回動自在に連結され、フロート支持体５１は、接地フロート１２の後端側を回動自在に支持するようになっている。
【００４３】
図７，８に示すように、溝切り体１４を支持杆５５に支持させる支持構造は、支持杆５５に板金部材を取り付けて設けた支持部であって、平面視で前向きに開口するコ字状の支持部８０と、溝切り体１４の前端側上部１４ａに設けた左右一対の連結アーム部１４ｂ，１４ｂと、溝切り体１４の左右一対の連結アーム部１４ｂ，１４ｂを支持部８０の左右一対の縦板部８０ａ，８０ａに回動自在に連結する連結軸８１と、連結軸８１の上方に配置して左右一対の縦板部８０ａ，８０ａに装着する脱着自在な作業高さ設定ピン８３とを備えて構成してある。
【００４４】
溝切り体１４に、前端側上部１４ａから前方向きに延出する操作アーム８４を備え、この操作アーム８４と機体フレームＦに支持される機体前後向きの支持フレーム８２に設けたスプリング掛け部とに装着したスプリング８５によって操作アーム８４を連結軸８１の軸芯まわり引き上げ操作するように構成してある。支持フレーム８２は、施肥フレーム７５の長手方向での中央部と播種フレーム４７の長手方向での中央部とにわたって連結され、施肥フレーム７５及び播種フレーム４７を介して機体フレームＦに支持されている。
【００４５】
従って、水田作業装置Ａは、播種作業及び施肥作業を行なう際、機体内側の２条の播種列の間で圃場の泥土面に溝切り体１４によって排水溝を形成していく。
【００４６】
すなわち、溝切り体１４は、連結軸８１の軸芯まわりに上下揺動自在に支持され、スプリング８５による操作アーム８４の引き上げ操作によって、連結アーム部１４ｂが作業高さ設定ピン８３に当接して受け止め支持される。従って、溝切り体１４は、作業高さ設定ピン８３によって設定される対地作業高さになる。
【００４７】
つまり、図８（ａ）に示すように、連結アーム部１４ｂを作業高さ設定ピン８３に当て付ける状態のスプリング８５の操作力に比して、溝切り体１４に掛かる接地反力が弱い場合、溝切り体１４は、作業高さ設定ピン８３によって設定される対地作業高さに維持されながら下部を泥土に入り込ませて排水溝を形成する。
【００４８】
図８（ｂ）に示すように、連結アーム部１４ｂを作業高さ設定ピン８３に当て付ける状態のスプリング８５の操作力に比して、溝切り体１４に掛かる接地反力が強い場合、溝切り体１４が接地反力によって上昇操作されて連結アーム部１４ｂが作業高さ設定ピン８３から前方に離れ、溝切り体１４は、スプリング８５と接地反力との釣り合いよって設定される対地作業高さになり、この対地作業高さで下部を泥土に入り込ませて排水溝を形成する。このとき、スプリング８５は、操作アーム８４によって引っ張り操作されて溝切り体１４に上昇抵抗を付与する状態となり、溝切り体１４は、スプリング８５によって泥土に押し付けられる。
【００４９】
支持部８０の縦板部８０ａに作業高さ設定ピン８３のための一対のピン孔８６，８７を設け、一対のピン孔８６，８７及び作業高さ設定ピン８３によって作業高さ調節部８８を構成し、溝切り体１４の対地作業高さを変更できるように構成してある。
【００５０】
図８（ａ）は、対地作業高さを低く変更した状態での溝切り体１４を示す側面図である。この図に示すように、作業高さ設定ピン８３を一対のピン孔８６，８７のうちの後側のピン孔８７に装着することにより、溝切り体１４の対地作業高さが低くなる。
すなわち、スプリング８５による操作アーム８４の引き上げ操作によって連結アーム部１４ｂが後側に位置する作業高さ設定ピン８３に当接し、作業高さ設定ピン８３が連結アーム部１４ｂを受け止め支持して溝切り体１４を低い対地作業高さに設定する。
【００５１】
図８（ｃ）は、対地作業高さを高く調節した状態での溝切り体１４を示す側面図である。この図に示すように、作業高さ設定ピン８３を一対のピン孔８６，８７のうちの前側のピン孔８６に装着することにより、溝切り体１４の対地作業高さが高くなる。
すなわち、スプリング８５による操作アーム８４の引き上げ操作によって連結アーム部１４ｂが前側に位置する作業高さ設定ピン８３に当接し、作業高さ設定ピン８３が連結アーム部１４ｂを受け止め支持して溝切り体１４を高い対地作業高さに設定する。
【００５２】
図３に実線で示す溝切り体１４は、対地作業高さを作業高さ設定ピン８３によって低く設定された状態での溝切り体１４を示し、同図に二点鎖線で示す溝切り体１４は、対地作業高さを作業高さ設定ピン８３によって高く設定された状態での溝切り体１４を示している。この図に示すように、対地作業高さを高く調節した状態での溝切り体１４の後端１４ｃが各播種用の作業部９の繰出しケース４８の後端９ａと略同じ位置に位置するように溝切り体１４を配備してある。さらに詳述すると、溝切り体１４の後端１４ｃが作業部９の後端９ａより少し後方に位置する。
【００５３】
支持フレーム８２の後端部に支持プレート９０ａを備えた散布機連結部９０を設けてある。
すなわち、図１０に示すように、薬剤散布機９１を播種用の作業部９の後方に配置して連結し、播種及び施肥作業を行なう際、除草用などの薬剤を散布する作業を併せて行なえるように構成してある。
【００５４】
〔別実施例〕
（１）上記した実施例では、溝切り体１４の後端１４ｃが作業部９の後端９ａと略同じ位置に位置するよう構成した例を示したが、溝切り体１４の後端１４ｃが作業部９の後端９ａと同じ位置に位置するように、あるいは溝切り体１４の後端１４ｃが作業部９の後端９ａより前方に位置するよう構成して実施してもよい。
【００５５】
（２）上記した実施例では、４つの播種用の作業部９を設けた例を示したが、２つあるは５つ以上の作業部９を設けて実施してもよい。
【産業上の利用可能性】
【００５６】
本発明は、播種用の作業部９を伝動ケース２６によって伝動されるよう構成して備える水田作業機の他、施肥用の作業部１０又は苗植え用の作業部を伝動ケース２６によって伝動されるよう構成して備える水田作業機にも利用できる。
【符号の説明】
【００５７】
２          後車輪
２ａ        後車輪通過跡
９          作業部
９ａ        後端
１２        接地フロート
１４        溝切り体
１４ｃ      後端
１９        駆動ケース
２６        伝動ケース
５５        支持杆
８５        スプリング
８８        作業高さ調節部
Ｐａ，Ｐｂ  作業対象箇所